(57)【要約】【課題】本体ケース内の温度上昇を確実に抑制することができるインターホン機器を提供する。【解決手段】前ケース２の前面に放熱用開口４２を開設する一方、本体ケース内における基板部材３１とスピーカ１６との前後方向での隙間に、端部が前方へ折り曲げられてなるアルミニウム製の放熱板４１を設け、放熱板４１の折り曲げられた端部の先端を、放熱用開口４２内に露出させることで、基板部材３１から発生した熱を本体ケースの前面側に逃がすようにした。したがって、たとえ本体ケースが壁面内に埋設されるような場合であっても、本体ケースから逃がした熱が本体ケースの周囲でこもってしまうようなことがなく、本体ケース内の温度上昇を確実に抑制することができる。【選択図】図７
2020080525.tif 000002
【特許請求の範囲】
【請求項１】
本体ケースに制御基板が内蔵されたインターホン機器であって、
前記本体ケースの前面に放熱用開口が開設されている一方、
前記本体ケース内に、前記制御基板の熱を前記制御基板から直接又は間接的に放熱する金属製の放熱板が設けられており、
さらに、前記放熱板の端部が前方へ折り曲げられ、当該端部の先端が、前記放熱用開口内に露出していることを特徴とするインターホン機器。
【発明の詳細な説明】
【技術分野】
【０００１】
本発明は、たとえば玄関の壁面に設置されるインターホン子機等といったインターホン機器に関するものである。
【背景技術】
【０００２】
一般的なインターホン機器には、他のインターホン機器との間での通話動作やカメラによる撮像動作等を制御するための制御基板が内蔵されている。したがって、インターホン機器には、制御基板から生じる熱を放熱するための放熱部材を設置した方が望ましく、たとえば特許文献１に記載されているようなインターホン機器が考案されている。
【先行技術文献】
【特許文献】
【０００３】
【特許文献１】特開２０１５−１０６７３６号公報
【発明の概要】
【発明が解決しようとする課題】
【０００４】
インターホン機器は、玄関や居室の壁面等に設置されることが多く、時には本体ケースが壁面内に埋設されることもある。したがって、本体ケースの背面や側面から熱を逃がしていたのでは、本体ケースの周囲で熱がこもってしまい、本体ケース内の温度上昇を期待通りに抑制できないおそれがある。
【０００５】
そこで、本発明は、上記問題に鑑みなされたものであって、本体ケース内の温度上昇を確実に抑制することができるインターホン機器を提供しようとするものである。
【課題を解決するための手段】
【０００６】
上記目的を達成するために、本発明は、本体ケースに制御基板が内蔵されたインターホン機器であって、本体ケースの前面に放熱用開口が開設されている一方、本体ケース内に、制御基板の熱を制御基板から直接又は間接的に放熱する金属製の放熱板が設けられており、さらに、放熱板の端部が前方へ折り曲げられ、当該端部の先端が、放熱用開口内に露出していることを特徴とする。
【発明の効果】
【０００７】
本発明によれば、本体ケースの前面に放熱用開口を開設する一方、本体ケース内に、制御基板の熱を制御基板から直接又は間接的に放熱する金属製の放熱板を設け、さらに、放熱板の端部を前方へ折り曲げ、当該端部の先端を放熱用開口内に露出させている。そのため、制御基板から発生する熱を本体ケースの前方へ逃がすことができる。したがって、たとえ本体ケースが壁面内に埋設されるような場合であっても、本体ケースから逃がした熱が本体ケースの周囲でこもってしまうようなことがなく、本体ケース内の温度上昇を確実に抑制することができる。
【図面の簡単な説明】
【０００８】
【図１】インターホン子機を前方から示した説明図である。
【図２】インターホン子機を側方から示した説明図である。
【図３】化粧パネルが取り外されたインターホン子機を前方から示した説明図である。
【図４】分解状態にあるインターホン子機を前側から示した斜視説明図である。
【図５】分解状態にあるインターホン子機を後側から示した斜視説明図である。
【図６】呼出ボタン部分におけるインターホン子機の水平断面を下方から示した説明図である。
【図７】放熱板部分におけるインターホン子機の水平断面を下方から示した説明図である。
【発明を実施するための形態】
【０００９】
以下、本発明の一実施形態となるインターホン子機について、図面にもとづき詳細に説明する。
【００１０】
図１は、インターホン子機１を前方から示した説明図である。図２は、インターホン子機１を側方から示した説明図である。図３は、化粧パネル１０が取り外されたインターホン子機１を前方から示した説明図である。図４は、分解状態にあるインターホン子機１を前側から示した斜視説明図である。図５は、分解状態にあるインターホン子機１を後側から示した斜視説明図である。図６は、呼出ボタン７部分におけるインターホン子機１の水平断面を下方から示した説明図である。図７は、放熱板４１部分におけるインターホン子機１の水平断面を下方から示した説明図である。
【００１１】
インターホン子機１は、前側に配置される前ケース２と、前ケース２の後面側に組み付けられる後ケース３とで構成される本体ケースを有している。この本体ケースの前面上部には、通話のためのマイク部６及びスピーカ部８が設けられている一方、前面右下部には、来訪者が居住者を呼び出す際に押し込み操作する呼出ボタン７が設けられている。そして、このようなインターホン子機１は、住戸の玄関の壁面等に設置されており、来訪者によって呼出ボタン７が押し込み操作されると、住戸内に設置されているインターホン親機（図示せず）を呼び出す。また、インターホン親機側で応答操作がされたことをもって、インターホン親機との間で通話可能となる。なお、１０は、マイク部６やスピーカ部８、呼出ボタン７等を露出させつつ、本体ケースの前面を覆うように取り付けられる金属製の化粧パネルである。
【００１２】
呼出ボタン７は、前面が操作面となる円板状の操作部１１と、操作部１１の中央から後方へ突設された操作突起１２と、操作部１１の外周縁から後方へ立設された周壁部１３と、周壁部１３の後端から径方向外側へ突設された鍔部１４とを有する。一方、前ケース２の前面には、後方へ凹んだ凹部２１が設けられており、当該凹部２１内に、操作突起１２を貫通させるための操作孔２２が穿設されている。また、操作孔２２の開口縁に沿って、前方へ突出する円筒部２５が設けられている一方、円筒部２５の周囲には、更に後方へ凹んだ収容部２４が設けられており、該収容部２４及び円筒部２５を利用して、呼出ボタン７を初期位置側へ付勢しながら保持するコイルバネ２３が取付可能となっている。加えて、操作部１１及び周壁部１３を挿通可能な挿通孔２６を有する挟持板２７が、凹部２１を前方から覆うように前ケース２へ取付可能となっている。
【００１３】
一方、前ケース２の後面には、後方へ突出するフランジ２８が、操作孔２２と同心円状で且つ操作孔２２を囲むように周設されている。さらに、前ケース２の後面には、スイッチ２９が搭載された基板３０ａやインターホン子機１の主たる動作（たとえばインターホン親機との間での通話動作等）を制御するメイン基板３０ｂ等の各種基板が前面に配置されてなる基板部材３１が組み付け可能となっており、前ケース２への組み付け時に、スイッチ２９が操作孔２２の中心に露出するようになっている。そして、当該スイッチ２９の箇所において、前ケース２と基板部材３１との間に防水部材３２を取り付けることになる。
【００１４】
防水部材３２は、ゴム（たとえばシリコンゴム）製の部材であって、内径がフランジ２８位置での径と略同径とされた円筒状の本体３３、本体３３内に設けられる嵌入部３４、及び本体３３と嵌入部３４とを連結する弾性部３５を有する。嵌入部３４は、前側から操作突起１２が嵌入可能な有底円筒状（前側は開口され、後側は閉塞された円筒状）に成形され、本体３３と同心円となるように、且つ、後端が本体３３の後端よりも前方に位置するように配されている。弾性部３５は、弾性変形自在な薄肉状とされており、本体３３の内周面と嵌入部３４の外周面との間を閉塞するように設けられている。
【００１５】
上記防水部材３２の取り付けに際しては、本体３３内にフランジ２８を位置させてフランジ２８を外側から囲みつつ、前ケース２の内面（前ケース２の後面）に本体３３の前端を当接させて、防水部材３２を配置する。それから、前ケース２の後面側に基板部材３１を組み付けることにより、前ケース２と基板部材３１とにより前後から挟持される格好で、防水部材３２を本体ケース内に取り付けることができる。そして、当該取付状態にあっては、本体３３、嵌入部３４、及び弾性部３５によって、防水部材３２よりも前側の空間と後側の空間とが完全に仕切られている。また、嵌入部３４はスイッチ２９の前方に位置しており、呼出ボタン７が押し込み操作されると、弾性部３５が変形して嵌入部３４が後側へ移動し、その後端でスイッチ２９をＯＮ／ＯＦＦ操作するようになっている。なお、呼出ボタン７に対する押し込み操作が解除されると、呼出ボタン７はコイルバネ２３の弾性力によって押し込み操作前の初期位置へ復帰し、嵌入部３４は弾性部３５の弾性力によって押し込み操作前の位置へ復帰する。
【００１６】
また、呼出ボタン７の取り付けについて説明すると、本体ケースを組み立てた後、前ケース２の前側から取り付けることができる。つまり、コイルバネ２３を介在させつつ、操作孔２２を介して嵌入部３４内へ操作突起１２を嵌入させる。その後、呼出ボタン７の前側から、挿通孔２６内へ操作部１１及び周壁部１３を挿通させつつ挟持板２７を前ケース２にネジ止めすれば、鍔部１４が前ケース２の前面と挟持板２７の後面とにより前後から挟持されて、呼出ボタン７の取り付けは完了となる。
【００１７】
ここで、本発明の要部となるインターホン子機１における放熱構造について説明する。
前ケース２の後面には、マイク部６を構成するマイク１５やスピーカ部８を構成するスピーカ１６が取り付けられている。また、基板部材３１の前ケース２への組み付けに伴い、メイン基板３１ｂの表面は、前ケース２の前面と平行な姿勢となる。そして、マイク１５及びスピーカ１６と基板部材３１との前後方向での隙間に、本体ケース内の熱を本体ケース外へ放熱するための放熱板４１が取り付けられている。放熱板４１は、左右方向へ長いアルミニウム製の金属板であって、左端部は前側へ折り曲げられている。そして、本体ケース内への取付状態において、その折り曲げ部の先端が、前ケース２の前面左端に開設されている放熱用開口４２内に露出するようになっている。なお、放熱用開口４２は、前ケース２の前面に貼着される絶縁シート（たとえばＰＥＴ等）４３により覆われる。また、４４は、放熱板４１と基板部材３１（特にメイン基板３０ｂの表面）との間に介在され、基板部材３１で生じる熱を効率よく放熱板４１に伝えるための伝熱シートである。
【００１８】
以上のような構成を有するインターホン子機１によれば、前ケース２の前面に放熱用開口４２を開設する一方、本体ケース内における基板部材３１とスピーカ１６との前後方向での隙間に、端部が前方へ折り曲げられてなるアルミニウム製の放熱板４１を設けており、放熱板４１の折り曲げられた端部の先端を、放熱用開口４２内に露出させている。そのため、基板部材３１から発生した熱を本体ケースの前面側に逃がすことができる。したがって、たとえ本体ケースが壁面内に埋設されるような場合であっても、本体ケースから逃がした熱が本体ケースの周囲でこもってしまうようなことがなく、本体ケース内の温度上昇を確実に抑制することができる。
【００１９】
また、本体ケース内に、操作孔２２を囲む円筒状の本体３３と、本体３３内に位置し、前側から操作突起１２の先端が嵌入する有底筒状の嵌入部３４と、弾性変形可能な薄肉状に成形され、本体３３の内周面と嵌入部３４の外周面との間を閉塞する弾性部３５とを有するゴム製の防水部材３２を、本体３３の前端を前ケース２の内面に当接させた状態で設けている。そして、呼出ボタン７を押し込み操作すると嵌入部３４が後方へ移動し、嵌入部３４の後端によりスイッチ２９が操作されるようにした。したがって、呼出ボタン７周りに関しては、本体３３、嵌入部３４、及び弾性部３５によって、防水部材３２よりも前側の空間と後側の空間とが完全に仕切られるため、従来よりも防水性に優れたインターホン子機１とすることができる。
【００２０】
なお、本発明に係るインターホン機器は、上記実施形態の態様に何ら限定されるものではなく、インターホン機器の全体的な構成は勿論、防水部材に係る構成等についても、本発明の趣旨を逸脱しない範囲で、必要に応じて適宜変更することができる。
【００２１】
たとえば上記実施形態では、防水部材の本体を円筒状としているが、角筒状に成形しても何ら問題はないし、１つの本体ケースに対して複数のボタン及び防水部材を設けてインターホン機器を構成することも当然可能である。
また、上記実施形態では、伝熱シートを介在させることで制御基板の熱を間接的に放熱板が放熱するような構成を採用しているが、制御基板に放熱板を当接させ、制御基板の熱を直接的に放熱板が放熱するような構成を採用することも可能である。
さらに、上記実施形態では前ケースと後ケースとを組み付けて本体ケースを構成しているが、３部材以上のケース部材を組み付けて本体ケースを構成しても何ら問題はない。
加えて、上記実施形態ではインターホン子機について説明しているが、たとえば居室内に設置されるインターホン親機等の他のインターホン機器であってもよい。
【符号の説明】
【００２２】
１・・インターホン子機（インターホン機器）、２・・前ケース（本体ケース）、３・・後ケース（本体ケース）、７・・呼出ボタン、１１・・操作部、１２・・操作突起、２２・・操作孔、２９・・スイッチ、３０ｂ・・メイン基板（制御基板）、３１・・基板部材、３２・・防水部材、３３・・本体、３４・・嵌入部、３５・・弾性部、４１・・放熱板、４２・・放熱用開口。
【図１】
2020080525.tif 000003
【図２】
2020080525.tif 000004
【図３】
2020080525.tif 000005
【図４】
2020080525.tif 000006
【図５】
2020080525.tif 000007
【図６】
2020080525.tif 000008
【図７】
2020080525.tif 000009